(57)【要約】      （修正有）【課題】回動仕切板の温度保障用ヒータの通電率を低減して、冷蔵庫の省エネ性を高める。【解決手段】冷蔵貯蔵室の前面開口を左側扉１０２、右側扉１０３の観音開き式で閉塞し、左側扉１０２、右側扉１０３の少なくともいずれか一方の反枢支側の内面に縦方向に亙る回転仕切体２００を設けて扉ガスケット１１０の接着面とした冷蔵庫において、回転仕切体２００は、少なくとも扉ガスケット１１０の接着面を形成する仕切板２１０と、回転仕切体２００内部に配設された断熱材２２０と、仕切板２１０の周縁部および断熱材２２０の外面を覆う合成樹脂製の仕切枠体２３０と、仕切板２１０内面に配設された加温手段２４０とを備え、仕切板２１０を合成樹脂製としたことにより、結露を防止しつつ消費電力を削減した冷蔵庫を提供する。【選択図】図２
2015129605.tif 000002
【特許請求の範囲】
【請求項１】
貯蔵室の前面開口を併置した左右扉で観音開き式に閉塞し、前記左右扉の少なくともいずれか一方の反枢支側の内面に縦方向に亙る回転仕切体を設けて扉ガスケットの接着面とした冷蔵庫において、前記回転仕切体は、少なくとも扉ガスケットの接着面を形成する仕切板と、前記回転仕切体内部に配設された断熱材と、前記仕切板の周縁部および前記断熱材の外面を覆う仕切枠体と、前記仕切板内面に配設された加温手段とを備え、前記仕切板と前記仕切枠体とを合成樹脂で形成したことを特徴とする冷蔵庫。
【請求項２】
前記仕切体の内面に磁性体を配設したことを特徴とする請求項１に記載の冷蔵庫。
【請求項３】
前記磁性体は、前記左右扉が閉塞した状態において、前記扉ガスケット内に構成された磁性体と対向する位置に配置したことを特徴とする請求項２に記載の冷蔵庫。
【請求項４】
前記仕切板内面の前記加温手段の配設部は、前記仕切板の基本板厚より薄く構成したことを特徴とする請求項１から３のいずれか一項に記載の冷蔵庫。
【請求項５】
前記仕切板内面の前記磁性体の配設部は、前記仕切板の基本板厚より薄く構成したことを特徴とする請求項１から４のいずれか一項に記載の冷蔵庫。
【発明の詳細な説明】
【技術分野】
【０００１】
本発明は、本体上部に設けた貯蔵室の前面開口を併置した左右扉で観音開き式に閉塞した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されており、これまで、冷蔵庫に対して冷凍室を上部に配置したトップフリーザータイプ、上部の冷蔵室と下部の野菜室との間に冷凍室を配置したミドルフリーザータイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、近年では、使い勝手を考慮して、使用頻度が高く収納容積の最も大きい冷蔵室を観音開き式の扉として最上段に配置し、その下方に製氷室や温度切替室、そしてその下方に野菜室、最下部に冷凍室を設置したタイプが主流になっており、前記冷蔵室の観音開き式扉の一方の開放端側の内面に閉扉時には他方の扉側へ回動する仕切体を取付けてガスケットの吸着面を設けるようにしている。
【０００４】
更に、近年の冷蔵庫における観音開き式の扉では、扉が大型化して縦方向寸法も長くなっており、縦方向に長い仕切体が湾曲することによる外面意匠上の課題を解決するために、回転仕切体の扉ガスケットの吸着面を形成する薄鋼板製の仕切板を、平板状の吸着面とその両側端縁を内方に折り返して重ね合わせ、さらに内方に折曲してアングル部を有する形状とし、仕切板の周縁部および仕切板の庫内側に設けた断熱部材の外面を合成樹脂製の仕切枠で覆うとともにこの仕切枠体で仕切板を係合保持し、加えて仕切板内面に面ヒータを貼付けて仕切板表面の発生する結露を防止したものが広く普及している（例えば、特許文献１参照）。
【０００５】
以下、図８、図９を用いて、従来の冷蔵庫の回転仕切体の仕様を説明する。
【０００６】
回転仕切体１３の基本構成としては、吸着面を形成する磁性体である薄鋼板製の仕切板１６と断熱層を形成する発泡スチロール製の成形断熱部材１８と、これらを覆って回転仕切体１３の外郭を形成する合成樹脂製の仕切枠体１７と、仕切板１６の内面には配設されたアルミ箔ヒータなどからなる面ヒータ１９と、回転仕切体１３の上端部に配設され、上端面にガイド溝が形成されたキャップ部材５８とから構成されている。
【０００７】
一般的には、上記の構成では、鋼板製の仕切板１６と面ヒータ１９が直接接触しているため、漏電対応として仕切板１６と冷蔵庫１本体を接続するアース線を配設する必要がある。
【０００８】
また、冷蔵庫１と回転仕切体１３の勘合を目的としたキャップ部材５８は、仕切板１６と仕切枠１７のそれぞれの上部終端を覆って連結する役目も果たしている。
【先行技術文献】
【特許文献】
【０００９】
【特許文献１】特開２０１０−２４９４９１号公報
【発明の概要】
【発明が解決しようとする課題】
【００１０】
しかしながら、上記従来の構成では、低温となった冷蔵室の温度影響で冷やされた扉ガスケットが、熱伝導率の高い薄鋼板製の仕切板に直接接触することで、必要以上に仕切板の大気開放部の表面温度が低下し、面ヒータの容量が大きくなり消費電力量が増加するという課題を有していた。
【００１１】
本発明は、上記の課題を解決するもので、回転仕切体のヒータ容量を低減できる冷蔵庫を提供することを目的とする。
【００１２】
また、上記従来の構成では、仕切板が絶縁性のない薄鋼板製で、その内面に面ヒータが貼付けられているため、漏電への配慮からアース線を配設する必要があり、構成が複雑で、高コストになるという課題を有していた。
【００１３】
本発明は、上記の課題を解決するもので、アース線を廃止し、簡単な構成で低コスト化が図れる冷蔵庫を提供することを目的とする。
【課題を解決するための手段】
【００１４】
上記従来の課題を解決するために、本発明の冷蔵庫は、貯蔵室の前面開口を併置した左右扉で観音開き式に閉塞し、前記左右扉の少なくともいずれか一方の反枢支側の内面に縦方向に亙る回転仕切体を設けて扉ガスケットの接着面とした冷蔵庫において、前記回転仕切体は、少なくとも扉ガスケットの接着面を形成する仕切板と、前記回転仕切体内部に配設された断熱材と、前記仕切板の周縁部および前記断熱材の外面を覆う仕切枠体と、前記仕切板内面に配設された加温手段とを備え、前記仕切板と前記仕切枠体とを合成樹脂で形成したものである。
【００１５】
これによって、回動仕切板の結露を防止するための加温手段への入力を抑制できる。また、これによってアース線が廃止でき、簡単な構成で低コスト化が図れる。
【発明の効果】
【００１６】
本発明の冷蔵庫は、回転仕切板の結露を防止するための電気入力を最小限に抑制でき、省エネを図ることができる。
【図面の簡単な説明】
【００１７】
【図１】本発明の実施の形態１による冷蔵庫の観音開きしき扉を開扉した状態を示す正面図
【図２】本発明の実施の形態１による冷蔵室扉の閉扉状態を示す要部の断面図
【図３】本発明の実施の形態１による加温手段の通電率と仕切板の表面温度の関係を説明したグラフ
【図４】本発明の実施の形態２による回転仕切体の要部の断面図
【図５】本発明の実施の形態２による加温手段の通電率と仕切板の表面温度の関係を説明したグラフ
【図６】本発明の実施の形態２による回転仕切体と扉ガスケットとの吸着力を説明したグラフ
【図７】本発明の実施の形態３による回転仕切板の分解斜視図
【図８】従来の冷蔵庫の冷蔵室扉の閉扉状態を示す断面図
【図９】従来の冷蔵庫の回転仕切体の分解斜視図
【発明を実施するための形態】
【００１８】
請求項１に記載の発明は、貯蔵室の前面開口を併置した左右扉で観音開き式に閉塞し、前記左右扉の少なくともいずれか一方の反枢支側の内面に縦方向に亙る回転仕切体を設け
て扉ガスケットの接着面とした冷蔵庫において、前記回転仕切体は、少なくとも扉ガスケットの接着面を形成する仕切板と、前記回転仕切体内部に配設された断熱材と、前記仕切板の周縁部および前記断熱材の外面を覆う仕切枠体と、前記仕切板内面に配設された加温手段とを備え、前記仕切板と前記仕切枠体とを合成樹脂で形成したことにより、前記回転仕切体の仕切板表面の結露を最小限の入力で防止することができる。
【００１９】
請求項２に記載の発明は、請求項１に記載の発明において、前記仕切体の内面に磁性体を配設したことにより、前記扉ガスケットと前記仕切板の吸着力を確保することができる。
【００２０】
請求項３に記載の発明は、請求項２に記載の発明において、前記磁性体は、前記左右扉が閉塞した状態において、前記扉ガスケット内に構成された磁性体と対向する位置に配置したことにより、扉ガスケットは良好な吸着力を得ることができる。
【００２１】
請求項４に記載の発明は、請求項１から３のいずれか一項に記載の発明において、前記仕切板内面の前記加温手段の配設部は、前記仕切板の基本板厚より薄く構成したことにより、前記仕切板表面の温度を上昇させることができる。
【００２２】
請求項５に記載の発明は、請求項１から４のいずれか一項に記載の発明において、前記仕切板内面の前記磁性体の配設部は、前記仕切板の基本板厚より薄く構成したことにより、前記仕切板表面に生じる磁力を強化することができる。
【００２３】
以下、本発明の実施の形態について、図面を参照しながら説明する。なお、この実施の形態によってこの発明が限定されるものではない。
【００２４】
（実施の形態１）
図１は、本発明の実施の形態１に係る冷蔵庫１００の観音開き式の左側扉１０２、右側扉１０３を開扉した状態を示す正面図である。
【００２５】
冷蔵庫１００は向かって左側に位置する左側扉１０２及び向かって右側に位置する右側扉１０３を有し、図１においては、左側扉１０２と右側扉１０３を開扉させた状態を示している。左側扉１０２と右側扉１０３とが設けられている部分は冷蔵貯蔵室１０５の部分であり、左側扉１０２の下は製氷室１０６、さらに下は冷凍貯蔵室１０７、野菜室１０８とされている。右側扉１０３の下、製氷室１０６の右隣には切替室１０９が設けられている。
【００２６】
左側扉１０２と右側扉１０３はそれぞれヒンジ部により枢支されて左側と右側に開くように構成されており、左側扉１０２の非枢支側には回転仕切体２００を設けている。この回転仕切体２００は、左側扉１０２の開閉動作に応じて回転し、閉扉された状態では、左側扉１０２、右側扉１０３の非枢支側を扉ガスケット１１０を介して閉塞して、冷蔵貯蔵室１０５内からの冷気漏れを防止している。
【００２７】
ここで、各貯蔵室間には断熱仕切部材（図示せず）が配置されており、この断熱仕切部材の前面には、鋼板製のカバー５０１、５０２、５０３が配設され、各貯蔵室扉の扉ガスケットを介して閉塞し、各貯蔵室からの冷気漏れを防止している。
【００２８】
図２において、回転仕切体２００は、扉ガスケット１１０の吸着面１１１を形成する仕切板２１０と、回転仕切体２００内部に配設された発泡スチロール製の断熱材２２０と、仕切板２１０の周縁部および断熱材２２０の外面を覆う合成樹脂製の仕切枠体２３０と、仕切板２１０内面中央に配設された加温手段２４０とから構成されている。
【００２９】
ここで、仕切板２１０は、合成樹脂製であり、内面には２つの磁性体２１１が取り付けられている。磁性体２１１は、冷蔵庫の高さ方向に対して回転仕切体２００の略全高域に構成されており、左側扉１０２、右側扉１０３が閉扉した状態において、扉ガスケット１１０内に構成された磁性体１１２と対向するように配置されており、本実施例では直方体のプラスチックマグネットを使用した。
【００３０】
更に、加温手段２４０及び磁性体２１１は、仕切板２１０と断熱材２２０の間で圧接して保持されている。
【００３１】
加温手段２４０は、線状ヒータにアルミ箔を貼り付けた面ヒータである。
【００３２】
以上のように構成された冷蔵庫について、以下その動作、作用について説明する。
【００３３】
まず、従来の構成では、低温となった冷蔵室３の温度影響で冷やされた扉ガスケット１１，１２が、熱伝導率の高い薄鋼板製の仕切板１６に直接接触することで、必要以上に仕切板１６の大気開放部の表面温度が低下し、これを補って露点温度以上にするために、面ヒータ１９の容量を大きくする必要があったのに対して、本実施の形態の場合、回転仕切体２００の扉ガスケット１１０の吸着面１１１を形成する仕切板２１０を合成樹脂製としたことで、図３の加温手段の通電率と仕切板の表面温度の関係を説明したグラフにおいて、まず、同一の通電率の条件では、本実施例の場合の仕切板２１０の表面温度は、従来の仕切板の表面温度に対して約３Ｋ高く、また、外気条件が３０℃、７５％のときの露点温度を維持するための通電率は、約１０％低減できることがわかる。これは、扉ガスケット１１０が接触する仕切板２１０を熱伝導率の小さな合成樹脂にしたことで、仕切板２１０の大気開放部２１２の温度の低下が抑制されたことによる。
【００３４】
加えて、扉ガスケット１１０内に構成された磁性体１１２と対向するように、磁性体２１１を配置することで、扉ガスケット１１０との吸着という、回転仕切体２００の基本機能を確保することができる。
【００３５】
以上のように、本実施の形態においては、貯蔵室の前面開口を併置した左右扉で観音開き式に閉塞し、前記左右扉の少なくともいずれか一方の反枢支側の内面に縦方向に亙る回転仕切体を設けて扉ガスケットの吸着面とした冷蔵庫において、前記回転仕切板が、少なくとも扉ガスケットの吸着面を形成する仕切板と、前記回転仕切体内部に配設された断熱材と、前記仕切板の周縁部および前記断熱材の外面を覆う合成樹脂製の仕切枠体と、前記仕切板内面に配設された加温手段とからなり、前記仕切板を合成樹脂製としたものであり、前記仕切板の表面温度を高く維持でき、加温のためのヒータの入力を削減することができる。
【００３６】
加えて、前記扉ガスケットの内部に構成された磁性体と対向するように、前記仕切板内面に磁性体２１１を配置したものであり、前記扉ガスケットと回転仕切体を吸着させることができる。
【００３７】
（実施の形態２）
図４は本発明の実施の形態２による回転仕切体の要部の断面図、図５は本発明の実施の形態２による加温手段の通電率と仕切板の表面温度の関係を説明したグラフ、図６は本発明の実施の形態２による回転仕切体と扉ガスケットとの吸着力を説明したグラフである。なお、実施の形態１と同一構成については同一符号を付して、異なる部分について説明する。
【００３８】
図４において、仕切板３１０の内面の形状としては、中央部に配設された加温手段２４０及び加温手段２４０の両側に配設される磁性体２１１が仕切板３１０に接する部分は、それぞれ凹部３１２、３１３となっている。つまり、仕切板３１０の基本板厚に対して、減肉してあり、この凹部３１２、３１３に対して、加温手段２４０及び磁性体２１１がそれぞれはまり込むように固定されている。
【００３９】
更に、加温手段２４０及び磁性体２１１は、仕切板３１０と断熱材３２０（図示せず）の間で圧接して保持されている。
【００４０】
以上のように構成された冷蔵庫について、以下その動作、作用について説明する。
【００４１】
図５の加温手段の通電率と仕切板の表面温度の関係を説明したグラフにおいて、まず、同一の通電率の条件では、本実施例の場合の仕切板３１０の表面温度は、実施例１の仕切板２１０の表面温度に対して約１Ｋ高く、また、外気条件が３０℃、７５％のときの露点温度を維持するための通電率は、約２％低減できることがわかる。これは、凹部３１２に加温手段２４０をはめこんで固定したことで、加温手段２４０から仕切板３１０の表面までの距離が小さく、熱抵抗が小さくなったことによる。
【００４２】
また、凹部３１２を形成することで、減肉部が限定できることから、仕切板３１０の基本肉厚が維持でき、必要以上に構造体の強度を低下させることなく、仕切板３１０しいては回転仕切体２００の変形を防止することができる。
【００４３】
図６において、本実施例の場合の仕切板３１０と扉ガスケット１１０間の吸着力は、実施の形態１の構成に比べて増加している。これは、凹部３１３を形成したことで、磁性体２１１と、扉ガスケット１１０内の磁性体１１２との距離が減少したことによる。
【００４４】
また、凹部３１３を形成することで、減肉部が限定できることから、仕切板３１０の基本肉厚が維持でき、必要以上に構造体の強度を低下させることなく、仕切板３１０しいては回転仕切体２００の変形を防止することができる。
【００４５】
以上のように、本実施の形態においては、前記仕切板内面で、かつ前記加温手段の配設部を、前記仕切板の基本板厚より薄く構成したものであり、熱抵抗の低減により加温のためのヒータの入力を削減することができる。
【００４６】
また、前記仕切板内面で、かつ前記磁性体の配設部を、前記仕切板の基本板厚より薄く構成したものであり、距離低減により、前記扉ガスケットと回転仕切体を良好に吸着させることができる。
【００４７】
また、前記加温手段及び前記磁性体の配設部のみ凹形状としたことで、前記仕切板の基本肉厚が維持でき、前記回転仕切体の変形を防止することができる。
【００４８】
（実施の形態３）
図７は本発明の実施の形態３による回転仕切板の分解斜視図である。なお、実施の形態１、２と同一構成については同一符号を付して、異なる部分について説明する。
【００４９】
図７において、回転仕切体４００は、扉ガスケット１１０の吸着面１１１を形成する合成樹脂製の仕切板４１０と、回転仕切体４００内部に配設された発泡スチロール製の断熱材（図示せず）と、仕切板４１０の周縁部および断熱材４２０の外面を覆う合成樹脂製の仕切枠体４３０と、仕切板４１０内面中央に配設された加温手段２４０と、仕切板４１０の内面には２つの磁性体２１１が取り付けられている。
【００５０】
このとき、仕切枠体４３０の上端面にガイド溝４３１が形成されており、冷蔵庫１００の天井面から下方に突設されたガイドピン（図示せず）が係合している。
【００５１】
以上のように、本実施の形態においては、前記加温手段は、合成樹脂製の前記仕切板の内面に配設されているので、漏電対応の必要がなく、簡素な構成とすることができる。
【００５２】
加えて、前記仕切板が樹脂製で、上部端面の形状に自由度があり、前記仕切枠体との係合が可能で、かつ前記仕切枠体の上端面にガイド溝を成形されているので、別途キャップを用いることなく、簡素な構成とすることができる。
【産業上の利用可能性】
【００５３】
以上のように、本発明にかかる冷蔵庫は、回転仕切体と扉ガスケットの吸着面である仕切板を樹脂製としたものであり、結露を防止しつつ消費電力を削減できるので、業務用冷蔵庫等にも適用できる。また、樹脂製のフランジ内面に磁性体を配設して、扉ガスケットとの吸着を行う方法は、冷蔵庫の各貯蔵室を仕切る断熱仕切部材の前面のカバーにも応用できる。
【符号の説明】
【００５４】
１００  冷蔵庫
１０２  左側扉
１０３  右側扉
１０５  冷蔵貯蔵室
１１０  扉ガスケット
１１２  磁性体
２００  回転仕切体
２１０  仕切板
２１１  磁性体
２２０  断熱材
２３０  仕切枠体
２４０  加温手段
３１０  仕切板
３１２  凹部
３１３  凹部
４００  回転仕切体
４１０  仕切板
４２０  断熱材
４３０  仕切枠体
４３１  ガイド溝
【図１】
2015129605.tif 000003
【図２】
2015129605.tif 000004
【図３】
2015129605.tif 000005
【図４】
2015129605.tif 000006
【図５】
2015129605.tif 000007
【図６】
2015129605.tif 000008
【図７】
2015129605.tif 000009
【図８】
2015129605.tif 000010
【図９】
2015129605.tif 000011